(57)【要約】  【課題】  多数枚重ねられたカードの中から、１枚ずつ、自動的、かつ適確に打抜機のパンチ位置にカードを送り出すと同時に、パンチ位置から打抜済カードを排出させ、円滑確実に順次打抜き作業を行うためのカード送り機構を提供すること。  【解決手段】  多数枚のカードを積み重ねて納める容器を取付けたカード送り台枠の中央に、モータにより前記容器から最下位のカードを１枚ずつ送り出すフックを取付けたキャリーを進退可能に設け、前記台枠の左右両側縁部に、台枠に隣接するカード打抜位置まで進行させて送られたカードを打抜位置より排出する一対の支持軸リンクと作動リンクを前記キャリーと連動するように備え、更に支持軸リンクと作動リンクの先端に押圧金具をそれぞれ可動可能に取付け、送り出し時は押圧金具を閉止位置で止め、支持軸リンクと作動リンクの帰戻時には押圧金具を打抜位置のカードと接触しない位置に移動させる機構から成りたつこと。【選択図】    図１
2005262397.tif 000002
【特許請求の範囲】
【請求項１】
多数枚のカードを積み重ねて納める容器を取付けたカード送り台枠の中央に、モータにより前記容器から最下位のカードを１枚ずつ送り出すフックを取付けたキャリーを進退可能に設け、前記台枠の左右両側縁部に、台枠に隣接するカード打抜位置まで進行させて送られたカードを打抜位置より排出する一対の支持軸リンクと作動リンクを前記キャリーと連動するように備え、更に支持軸リンクと作動リンクの先端に押圧金具をそれぞれ可動可能に取付け、送り出し時は押圧金具を閉止位置で止め、支持軸リンクと作動リンクの帰戻時には押圧金具を抜打位置のカードと接触しない位置に移動させる機構から成り立つカード送り機構。
【発明の詳細な説明】
【技術分野】
【０００１】
本発明は用済みのＩＣカード、その他のカードを改ざん不能にする目的で、パンチ破損を行う打抜機に係り、特に廃棄前の積重ねた多数枚のカードから１枚ずつパンチする位置に順次送り込む、カード送り機構に関するものである。
【背景技術】
【０００２】
従来のカードに廃棄孔をあける作業工程において、打抜機の所定のパンチ位置にカードを１枚ずつ送り込み、その後排出する作業は人手によって行なっていた。従って非常に手数を要する。
【発明の開示】
【発明が解決しようとする課題】
【０００３】
本発明の課題は多数枚重ねられたカードの中から１枚ずつ自動的に、かつ適確に打抜機のパンチ位置にカードを送り出すと同時にパンチ位置から打抜済カードを排出させ円滑確実に順次打抜き作業を行うためのカード送り機構を提供することにある。
【課題を解決するための手段】
【０００４】
本発明の手段は次のとおりである。
【０００５】
多数枚のカードを積み重ねて納める容器を取付けたカード送り台枠の中央に、モータにより前記容器から最下位のカードを１枚ずつ送り出すフックを取付けたキャリーを進退可能に設け、前記台枠の左右両側縁部に、台枠に隣接するカード打抜位置まで進行させて送られたカードを打抜位置より排出する一対の支持軸リンクと作動リンクを前記キャリーと連動するように備え、更に支持軸リンクと作動リンクの先端に押圧金具をそれぞれ可動可能に取付け、送り出し時は押圧金具を閉止位置で止め、支持軸リンクと作動リンクの帰戻時には押圧金具を打抜位置のカードと接触しない位置に移動させる機構から成りたつこと。
【発明の効果】
【０００６】
本発明は以上記述した構成により成り立っていて、カード１枚ずつを正しいパンチ位置に自動的に順次送り込む作業と打抜済カードの排出作業を同時に行うことができる。
【発明を実施するための最良の形態】
【０００７】
図面を参照して本発明に係る、カード送り機構を詳述する。図１、図２は本発明のカード送り機構と要旨外のカード打抜き機構を含めた正面図と平面図で図中１はカード送り台枠で中央にカードＫをパンチ位置に送り出す本発明の主要な役目をするキャリー６に取付けたフック２が移動する溝孔１ｃを設け、その下側にキャリー６の案内レール９を敷設し、台枠１の左右両側縁には左右一対の支持軸リンク３と作動リンク４と押圧金具１７から成るリンク部が移動する案内片部１ａ，１ｂを形成する。
【０００８】
次に図２、図６及び図７を参照して本発明の主要部を説明する。キャリー６の一遇に突出した突子１０が入り移動する長い溝孔１１を案内片部１ａ，１ｂに形成し、キャリー６はキャリー６の下部に設けた縦溝６ａを案内レール９に嵌め込み、台枠１の下側に位置するように配し、キャリー６の上面に取付けたフック２は台枠１の溝孔１ｃよりカード１枚分ほど突出し、カード容器８内に積み重ねたカードＫの最下位の１枚のみをカード容器８の下部より押し出せるようにしてある。更に案内レール側にはモータ５と直結しているアーム７の先端溝と連結するための連結部片６ｂを取付け、図４に示すようにモータ５を中心にアーム７の作動で前進、後退運動を繰返す。
【０００９】
前記カード容器８の下部には送り出し側にカードＫと同幅のすき間を、他方側にフック２のみが通過可能なすき間を設けてあり、モータが作動するとフック２がカードＫを押し出しながら前進し、後退するとフック２のみがカード容器８内のカードＫの下側を通過し、送り出し開始位置に戻る。リンク部は、作動リンク４に突子１０を貫通させる挿入孔４ａを、支持軸リンク３には突子１０が入る長孔１２を形成し、支持軸リンク３と作動リンク４の他端の各々に、ネジ孔１３，１４を設け、ネジ軸１８，１９を取付け、前記ネジ軸の挿入孔１５，１６を備えた押圧金具１７を支持軸リンク３と作動リンク４に取付けて構成され、左右一対として、前記溝孔１１を貫通させたキャリー６の突子１０に取付け、キャリー６の動作と連動して作動する。
【００１０】
次に図７、図８に示す支持軸リンク３、作動リンク４及び押圧金具１７の動きについて説明する。先ず図７のＡの状態は支持軸リンク３と作動リンク４はカード送り出し開始位置にあり、この状態からキャリー６が移動をはじめると、同図Ｂのように突子１０が長孔１２内を移動し同時に作動リンク４のみを長さａだけ移動させ支持軸リンクのネジ軸１８を中心にネジ軸１９が移動し押圧金具１７の向きを同図Ａより同図Ｂのように打抜済カードＫ´と相対するようにかえる（図８参照）。
【００１１】
次に同図Ｂの状態で左右のリンク部全体がパンチ部へ移動し、同図Ｃのように押圧金具１７で打抜済カードＫ´の端部を押しながらパンチ位置より打抜済カードＫ´を排出し、フック２で送り出されたカードＫはパンチ位置に停止する。その後キャリー６が戻り始めると同図Ｄのように突子１０が長孔１２内を移動し、作動リンク４を移動させて押圧金具１７を引上げ、戻り動作時に押圧金具１７とパンチ位置のカードＫとが接触することなくリンク部は移動でき、同図Ａの状態に戻り一往復分の動作が終る。
【００１２】
キャリー６及びリンク部は、以上の動作を繰返し行ってカードＫを順次送るのである。
【００１３】
次に本発明の作用を説明する。最初にリンク部の打抜済のカードＫ´を排出する仕事はなく、単にフック２によって、カード容器８内のカードＫ１枚が所定のパンチ位置に送られ、終ると、アーム７は送り反転信号により反転してフック２をカード送り開始位置に戻す。この間パンチ部本体５０は送り反転の信号を受けて作動し、抹消パンチ作業を行う。
【００１４】
続いて２枚目のカードＫを送り込む動作は、フック２がカード送り開始位置に戻ったこと、及び抹消パンチ作業が終了したことの信号と更に打抜済カードＫ´がパンチ部の停止位置に残留していることの３つの信号を確認することによって行われる。
【００１５】
この時に２枚目以降のカード送りでは、リンク部の押圧金具１７がカード送りに有効に作動し、パンチ部に位置する打抜済カードＫ´を排出することになり、パンチ位置に次のカードＫを送り込むことができる。
【００１６】
以上の動作が連続的に繰り返し行われ、最後にパンチ部の停止位置の確認信号でカードが残留していないことが確認されると、本発明の送り出し装置は自動的に停止状態となり、作業を終了する。
【図面の簡単な説明】
【００１７】
【図１】正面図。
【図２】平面図。
【図３】作動途上の正面図。
【図４】原動機構部分の平面図。
【図５】カード送り機構を説明する平面図。
【図６】リンクとキャリー等の分解図。
【図７】リンクの作動状態を示す説明図。
【図８】押圧金具の作動を説明する平面図。
【図９】図２のＸ−Ｘ´断面図。
【図１０】図２のＹ−Ｙ´断面図。
【図１１】カード容器の平面図とフックが下のカードを抜き送り出している状態を示す平面図。
【符号の説明】
【００１８】
Ｋ          カード
Ｋ´        打抜済カード
１          カード送り台枠
１ａ，１ｂ  案内片部
１ｃ        フックの溝孔
２          フック
３          支持軸リンク
４          作動リンク
５          モータ
６          キャリー
６ａ        縦溝
６ｂ        連結部片
７          アーム
８          カード容器
９          案内レール
１０        突子
１１        溝孔
１２        長孔
１３，１４  ネジ孔
１５，１６  ネジ軸の挿入孔
１７        押圧金具
１８，１９  ネジ軸
５０        パンチ本体
【図１】
2005262397.tif 000003
【図２】
2005262397.tif 000004
【図３】
2005262397.tif 000005
【図４】
2005262397.tif 000006
【図５】
2005262397.tif 000007
【図６】
2005262397.tif 000008
【図７】
2005262397.tif 000009
【図８】
2005262397.tif 000010
【図９】
2005262397.tif 000011
【図１０】
2005262397.tif 000012
【図１１】
2005262397.tif 000013